(57)【特許請求の範囲】
【請求項１】
測定およびフィルタ処理コアハンドルの取り替えの示唆が可能な手持ち式シャワーヘッドであって、
前記シャワーヘッドの外殻を形成するために共に接合されるように配置される下外殻および上外殻と、
共に接合された前記外殻に装着されるように配置されるハンドルフィルタカートリッジを含むハンドルと、
前記ハンドルフィルタカートリッジから前記シャワーヘッド内への水通路を水が通過するのに応じて回転するように配置されるインペラと、
前記インペラの回転を検出することによって水流を測定するための水流測定ユニットであって、前記ハンドルフィルタカートリッジを取り替える必要があるとの指示を表示するディスプレイを含む、水流測定ユニットと、
前記水流測定ユニットに電気を供給する少なくとも１つの電池を装着するための電池台と、を備え、
前記水流測定ユニットおよびインペラ軸は前記下外殻に配設され、前記電池台は前記上外殻に配設され、下ハンドルフィルタカートリッジ装着セクションおよび上ハンドルフィルタカートリッジ装着セクションは両方とも、前記シャワーヘッドの全体の重量配分を均一にするように前記ハンドルフィルタカートリッジに隣接する、手持ち式シャワーヘッド。
【請求項２】
前記電池台は、電池蓋の表面を係合して前記電池蓋が前記電池台から除去されないようにする２つの内方に延在する突起部を含み、前記電池蓋の回転によって、前記突起部を前記電池蓋における対向するスナップ状切欠きに位置合わせして、前記電池蓋を前記電池台から除去できるようにすると、前記少なくとも１つの電池が電池収納部に据え置かれる時に前記少なくとも１つの電池の端子を電気的に接触するための電気接点を含む電池用空洞が曝される、請求項１に記載の測定およびフィルタ処理コアハンドルの取り替えの示唆が可能な手持ち式シャワーヘッド。
【請求項３】
前記電池蓋の回転、および、前記電池台に据え置かれた電池の取り替えを可能にするために、物体を受けるための前記電池蓋の頂面において回転用切欠きをさらに備える、請求項２に記載の測定およびフィルタ処理コアハンドルの取り替えの示唆が可能な手持ち式シャワーヘッド。
【請求項４】
前記少なくとも１つの電池はボタン型電池である、請求項３に記載の測定およびフィルタ処理コアハンドルの取り替えの示唆が可能な手持ち式シャワーヘッド。
【請求項５】
前記水流測定ユニットは、上中空支柱の上セクション、および、ベース中空支柱の下セクションを含み、前記水通路は、前記ベース中空支柱および前記上中空支柱の両方を通り、
前記ベース中空支柱は、その周囲にはめ込まれたシーリングリングを有し、前記上中空支柱には、磁気リードスイッチまたはホール効果装置を収容するために管状開口部を有する中空柱が側面に位置し、
前記インペラ軸は前記水通路に挿入され、磁気要素は前記インペラ軸の収容部内に含まれ、前記磁気リードスイッチまたは前記ホール効果装置は、前記インペラ軸が、水が前記水通路を流れるに応じて回転する時の、前記磁気要素の移動に応じて電気信号を前記水流測定ユニットに供給する、請求項１に記載の測定およびフィルタ処理コアハンドルの取り替えの示唆が可能な手持ち式シャワーヘッド。
【請求項６】
前記水流測定ユニットは、透明カバー下の前記上外殻の保持空洞に収容される信号回路装置を含み、前記ディスプレイは前記透明カバーを通して可視である、請求項１に記載の測定およびフィルタ処理コアハンドルの取り替えの示唆が可能な手持ち式シャワーヘッド。
【請求項７】
前記信号回路装置はマイクロプロセッサおよびＬＣＤディスプレイ回路を含む、請求項６に記載の測定およびフィルタ処理コアハンドルの取り替えの示唆が可能な手持ち式シャワーヘッド。
【請求項８】
前記下外殻は、前側、裏側、および、ねじ切りされた円筒状ハンドルフィルタカートリッジ装着セクションを有する下受け台を含み、前記前側は、前記水通路と連通する内側水入口溝を有し、前記前側は、前記内側水入口溝内の水が前記シャワーヘッドから外に噴射できるようにするための開口部を有する噴霧フードを据え付けるためのねじ切り縁をさらに含み、
前記上外殻は、前側および裏側、前記ディスプレイが可視である、前記裏側における覗き窓、および、ハンドルフィルタカートリッジ装着セクションを有し、前記電池台は、前記上外殻の前記ハンドルフィルタカートリッジ装着セクションに隣接して位置する、請求項１に記載の測定およびフィルタ処理コアハンドルの取り替えの示唆が可能な手持ち式シャワーヘッド。
【請求項９】
前記水流測定ユニットは、前記水流測定ユニットを前記下受け台から延在する内方にねじ切りされた突起部に螺合することによって、前記下外殻に据え付けられる、請求項８に記載の測定およびフィルタ処理コアハンドルの取り替えの示唆が可能な手持ち式シャワーヘッド。
【請求項１０】
前記下外殻および前記上外殻は超音波溶融によって接合される押し出し成形されたプラスチック片である、請求項１に記載の測定およびフィルタ処理コアハンドルの取り替えの示唆が可能な手持ち式シャワーヘッド。
【請求項１１】
前記下外殻および前記上外殻のうちの１つから延在するフック式腕部、および、前記下外殻を前記上外殻に据え付けるために前記下外殻および前記上外殻の他方における対応する切欠きをさらに含む、請求項１に記載の測定およびフィルタ処理コアハンドルの取り替えの示唆が可能な手持ち式シャワーヘッド。
【請求項１２】
径方向リブを有する支持三脚、および、前記下外殻の前記ハンドルフィルタカートリッジ装着セクション内の前記水通路の上流端に位置する支持ベースを含む支持物をさらに含み、前記径方向リブは、前記インペラの軸を回転可能に支持するためのブシュを形成して、水が前記インペラを通り過ぎて通過できるようにする、請求項１に記載の測定およびフィルタ処理コアハンドルの取り替えの示唆が可能な手持ち式シャワーヘッド。
【請求項１３】
前記水通路は、その上部分に径方向に配設される複数の遮断羽根を含んで、上バフルおよび下合体切欠きで構成される中央懸垂体を取り巻く第２のブシュを形成して、前記インペラの下流端を受けかつ回転可能に支持する、請求項１２に記載の測定およびフィルタ処理コアハンドルの取り替えの示唆が可能な手持ち式シャワーヘッド。
【請求項１４】
前記インペラは、前記水流測定ユニットにおける前記水通路に挿入されるインペラ軸、底部中央ブシュ、上軸方向合体突起部、複数の周方向らせん状羽根、および、前記らせん状羽根の底端部によって包囲される底部円形ギャップ付き収容部を含み、誘導磁石は、その回転が前記水流測定ユニットによって検出され、前記インペラ軸の前記底部円形ギャップ付き収容部に置かれる、請求項１に記載の測定およびフィルタ処理コアハンドルの取り替えの示唆が可能な手持ち式シャワーヘッド。
【請求項１５】
測定およびフィルタ処理コアハンドルの取り替えの示唆が可能な手持ち式シャワーヘッドであって、
前記シャワーヘッドの外殻を形成するために共に接合されるように配置される下外殻および上外殻と、
共に接合された前記外殻に装着されるように配置されるハンドルフィルタカートリッジを含むハンドルと、
前記ハンドルフィルタカートリッジから前記シャワーヘッド内への水通路を水が通過するのに応じて回転するように配置されるインペラと、
前記インペラの回転を検出することによって水流を測定するための水流測定ユニットであって、前記ハンドルフィルタカートリッジを取り替える必要があるとの指示を表示するディスプレイを含む、水流測定ユニットと、
前記水流測定ユニットに電気を供給する少なくとも１つの電池を装着するための電池台と、を備え、
前記電池台は、電池蓋の表面を係合して前記電池蓋が前記電池台から除去されないようにする２つの内方に延在する突起部を含み、前記電池蓋の回転によって、前記突起部を前記電池蓋における対向するスナップ状切欠きに位置合わせして、前記電池蓋を前記電池台から除去できるようにすると、前記少なくとも１つの電池が電池収納部に据え置かれる時に前記少なくとも１つの電池の端子を電気的に接触するための電気接点を含む電池用空洞が曝され、
前記電池台は、前記電池蓋の回転、および、前記電池台に据え置かれた電池の取り替えを可能にするために、物体を受けるための前記電池蓋の頂面において回転用切欠きをさらに備える、手持ち式シャワーヘッド。
【請求項１６】
前記少なくとも１つの電池はボタン型電池である、請求項１５に記載の測定およびフィルタ処理コアハンドルの取り替えの示唆が可能な手持ち式シャワーヘッド。
【請求項１７】
前記水流測定ユニットは、上中空支柱の上セクション、および、ベース中空支柱の下セクションを含み、前記水通路は、前記ベース中空支柱および前記上中空支柱の両方を通り、
前記ベース中空支柱は、その周囲にはめ込まれたシーリングリングを有し、前記上中空支柱には、磁気リードスイッチまたはホール効果装置を収容するために管状開口部を有する中空柱が側面に位置し、
インペラ軸は前記水通路に挿入され、磁気要素は前記インペラ軸の収容部内に含まれ、前記磁気リードスイッチまたは前記ホール効果装置は、前記インペラ軸が、水が前記水通路を流れるに応じて回転する時の、前記磁気要素の移動に応じて電気信号を前記水流測定ユニットに供給する、請求項１５に記載の測定およびフィルタ処理コアハンドルの取り替えの示唆が可能な手持ち式シャワーヘッド。
【請求項１８】
前記水流測定ユニットは、透明カバー下の前記上外殻の保持空洞に収容される信号回路装置を含み、前記ディスプレイは前記透明カバーを通して可視である、請求項１５に記載の測定およびフィルタ処理コアハンドルの取り替えの示唆が可能な手持ち式シャワーヘッド。
【請求項１９】
前記信号回路装置はマイクロプロセッサおよびＬＣＤディスプレイ回路を含む、請求項１８に記載の測定およびフィルタ処理コアハンドルの取り替えの示唆が可能な手持ち式シャワーヘッド。
【請求項２０】
前記下外殻は、前側、裏側、および、ねじ切りされた円筒状ハンドルフィルタカートリッジ装着セクションを有する下受け台を含み、前記前側は、前記水通路と連通する内側水入口溝を有し、前記前側は、前記内側水入口溝内の水が前記シャワーヘッドから外に噴射できるようにするための開口部を有する噴霧フードを据え付けるためのねじ切り縁をさらに含み、
前記上外殻は、前側および裏側、前記ディスプレイが可視である、前記裏側における覗き窓、および、ハンドルフィルタカートリッジ装着セクションを有し、前記電池台は、前記上外殻の前記ハンドルフィルタカートリッジ装着セクションに隣接して位置する、請求項１５に記載の測定およびフィルタ処理コアハンドルの取り替えの示唆が可能な手持ち式シャワーヘッド。
【発明の詳細な説明】
【技術分野】
【０００１】
本発明は、測定およびフィルタ処理コアハンドルの取り替えの示唆が可能な手持ち式シャワーヘッドに関する。好ましい実施形態によると、フィルタ処理コアハンドルは、シャワーヘッドが、先行技術である、フィルタの取り替えを事前に警告する装置を有する手持ち式シャワーヘッドより、均一に移動し、上部が重くならないような全体の重量配分を有するように、ハンドルフィルタカートリッジに隣接するように配設される、水流測定ユニットおよびインペラ軸を含む。
【背景技術】
【０００２】
２００５年１月６日に発行され、「Ｈａｎｄ−Ｈｅｌｄ  Ｓｈｏｗｅｒ  Ｈｅａｄ  ｗｉｔｈ  Ｆｉｌｔｅｒ  Ｒｅｐｌａｃｉｎｇ  Ｐｒｅ−Ａｌａｒｍ  Ａｓｓｅｍｂｌｙ」という名称の本発明者の特許文献１は、第１世代のシャワーヘッドシリーズを開示しており、その最新の改良型は、「Ｈａｎｄ  Ｈｅｌｄ  Ｓｈｏｗｅｒ  Ｈｅａｄ  ｗｉｔｈ  Ｆｉｌｔｅｒ  Ｒｅｐｌａｃｉｎｇ  Ｐｒｅ−Ａｌａｒｍ  Ａｓｓｅｍｂｌｙ」という名称の本発明者の特許出願のファミリに開示された。当該特許出願のファミリは、特許文献２、特許文献３、特許文献４および特許文献５、ならびに、特許文献６、特許文献７、特許文献８および特許文献９を含む。「Ｈａｎｄ  Ｈｅｌｄ  Ｓｈｏｗｅｒ  Ｈｅａｄ  ｗｉｔｈ  Ｆｉｌｔｅｒ  Ｒｅｐｌａｃｉｎｇ  Ｐｒｅ−Ａｌａｒｍ  Ａｓｓｅｍｂｌｙ」という名称の前述の特許および係属特許出願は、シャワーヘッド外殻１００、内蓋７０、インペラ８０、フード９０、着脱式警告ポッド２００、および、信号回路装置３００を開示しており、この場合、
シャワーヘッド外殻１００は、単片に押し出し成形されたプラスチック製中空ケースであり、一連の周辺雄ねじ山１２０を有する表側１０１、および、裏側１０２を取り囲んで一体となる受け台１０３を有する。シャワーヘッド外殻１００は、周辺部が先細になったハンドル突合せ部１０４を有し、該周辺部から、ねじ山１０６を有する管が延在して、ハンドルフィルタカートリッジ６０の対応するねじ山に接続する。中空の水進入口１０５がハンドル突合せ部１０４を通って延在し、収容部１０７が表側１０１の内部に形成される。水出口孔ベース１０９、および、インペラハブ切欠き１１０を有するインペラウェル１０８は、収容部１０７の内側底面内へ内方に延在し、（図３に示される点線で示されるように）水入口通路１１１は、ハンドル突合せ部１０４における中空水進入口１０５とインペラウェル１０８の隣接側との間で連通するように形成され、水出口通路１１２は、水出口孔ベース１０９とインペラウェル１０８の他方側との間で連通するように形成される。円形くぼみソケット１１３は、受け台１０３の裏側１０２内へ内方に延在して、着脱式警告ポッド２００を受け、それによって、末端ラッチ係合切欠き１１４がくぼみソケット１１３の（図２の主要図および拡大図の左側に示される）遠位内壁において作り出され、スナップ式ラッチ係合腕部１１５がくぼみソケット１１３の（図２の右側に示される）近位内壁から延在するようにする。さらに、指案内溝１１６は、裏側１０２の縁に隣接するハンドル突合せ部１０４の頂面内へ延在する。
【０００３】
シャワーヘッド外殻１００における収容部１０７の底部側に強固に取り付けられた扁平な円板である内蓋７０は、シャワーヘッド外殻１００の表側１０１の方へ面する内向面７１と、インペラウェル１０８のインペラハブ切欠き１１０と一致するように中に形成されたインペラハブ切欠き７２と、シャワーヘッド外殻１００における収容部１０７の水出口孔ベース１０９と一致するように中に形成された水出口７３と、複数のねじ穴７４であって、内蓋７０の周辺部に内蓋７０を通って延在することで、ねじ穴７４がインペラハブ切欠き７２および水出口７３の周りに分布するようにする複数のねじ穴７４とを有する。
【０００４】
径方向に延在する湾曲した複数の羽根を有する円筒外形の本体であるインペラ８０は、（図１４に示されるように）その対応する頂部側および底部側に同軸上に配設された２つの中央突出ハブ８１、および、１つの羽根の頂部切り口に埋め込まれた磁気要素８２を有することで、インペラ８０は、インペラウェル１０８のインペラハブ切欠き１１０、および、内蓋７０のインペラハブ切欠き７２それぞれとはめ合わせられる２つ中央突出ハブ８１によって、インペラウェル１０８において自由に回転することができる。
【０００５】
単片に押し出し成形されたプラスチック製円板であるフード９０は、該フードの底部縁の周りに延在する雌ねじ山９１と、該円板の表面上に分布する複数の水噴霧穴９２とを備えることで、雌ねじ山９１が、螺合係合によってシャワーヘッド外殻１００の表側１０１において雄ねじ山１２０とはめ合わせることができるようにし、それによって、水噴霧穴９２によってシャワーヘッド外殻１００の表側１０１の収容部１０７内の水を外に噴射することができる。
【０００６】
警告ポッド２００は、プラスチック製透明蓋２０１およびプラスチック製装着用空洞２０２を高周波または超音波溶融させて密閉された水密の一体にし、（図１０および図１１に示されるように）中に信号回路装置３００を収容するためにシャワーヘッド外殻１００の裏側１０２の円形くぼみソケット１１３に埋め込まれることによって作られるプラスチック製カプセルである。警告ポッド２００は、該警告ポッドの先端部縁上に作り出された末端ラッチ係合突起部２０３を有し（図１および図８では左側）、スナップ式ラッチ係合切欠き２０４は警告ポッドの後部縁上に形成され（図８では右側）、２つのパッシブ充電電極２０５は、装着用空洞２０２の内側底壁にしっかりと差し込まれ、２つのパッシブ充電電極２０５のそれぞれの個々の端部は、（図８において下側の拡大図に示されるように）装着用空洞２０２から外に突出している。
【０００７】
警告ポッド２００に収められる信号回路装置３００は、（図７に示されるように）マイクロプロセッサ３０１、マイクロプロセッサ３０１に電気的に接続され、その位置が透明蓋２０１に近いＬＣＤディスプレイ回路３０２、マイクロプロセッサ３０１に電気的に接続される充電式電池３０３、および、装着用空洞２０２の内底部側に確実に差し込まれる磁気リードスイッチ３０４を含むことで、（図８において下側の拡大図に示されるように）充電式電池３０３が、一組のワイヤＷによって警告ポッド２００のパッシブ充電電極２０５に接続されるようにする。
【０００８】
図１〜図８のシャワーヘッドの組み立てステップは、以下のように図９〜図１６において示される。
【０００９】
ａ．（図９に示されるように）１つの羽根に磁気要素８２を有するインペラ８０の突出ハブ８１（図９の上側）を、シャワーヘッド外殻１００の表側１０１におけるインペラウェル１０８のインペラハブ切欠き１１０と位置合わせし、その後、（図９に示されるように）突出ハブ８１をインペラハブ切欠き１１０に押し込むことで、インペラ８０の磁気要素８２が、シャワーヘッド外殻１００のくぼみソケット１１３の方へ面する。
【００１０】
ｂ．内蓋７０の内向面７１をシャワーヘッド外殻１００における収容部１０７の頂面に当たるように取り付けることで、内蓋７０のインペラハブ切欠き７２が、インペラ８０の他方の突出ハブ８１にスリーブ接続し（図１０の下側）、（図１１に示されるように）全てのセルフタッピングねじＳを、内蓋７０の対応するねじ穴７４をそれぞれ介して、収容部１０７の内底壁に押し入れ、それによって、内蓋７０が収容部１０７の頂面に密接に取り付けられて、インペラ８０がインペラウェル１０８において自由に回転することが可能になる。
【００１１】
ｃ．（図１２に示されるように）フード９０上の雌ねじ山９１を、螺合係合によってシャワーヘッド外殻１００の表側１０１における雄ねじ山１２０とはめ合わせることで、シャワーヘッド外殻１００の表側１０１に対する組み立てを完了する。
【００１２】
ｄ．（図１３、および図１４の左上の拡大図に示されるように）警告ポッド２００の装着用空洞２０２内の末端ラッチ係合突起部２０３を、シャワーヘッド外殻１００の裏側１０２のくぼみソケット１１３における末端ラッチ係合切欠き１１４と位置合わせしかつこれとはめ合わせることで、装着用空洞２０２におけるスナップ式ラッチ係合切欠き２０４の底部側が、くぼみソケット１１３におけるスナップ式ラッチ係合突起部１１５の頂部側と接触する（図１４に示される右上方の拡大図）。次いで、強制的に下方への力Ｆ１を透明蓋２０１に加えることによって、装着用空洞２０２におけるスナップ式ラッチ係合切欠き２０４をくぼみソケット１１３のスナップ式ラッチ係合突起部１１５と完全にラッチ係合させることで（図１５に示される拡大図）、装着用空洞２０２における末端ラッチ係合突起部２０３が同時に、くぼみソケット１１３における末端ラッチ係合切欠き１１４と完全にラッチ係合して（図１６に示される拡大図）、警告ポッド２００およびシャワーヘッド外殻１００の組み立てが完了する。よって、図１〜図８のシャワーヘッドにおける組み立てステップ全体が終了する。
【００１３】
図１〜図８のシャワーヘッドの動作について、図１７〜図１９をさらに参照されたい。（図１７に示されるように）シャワーヘッドを動作させる前に、まず、ハンドルフィルタカートリッジ６０を、シャワーヘッド外殻１００のハンドル突合せ部１０４上の管状ねじ山１０６に螺合し、次いで、着脱式水管Ｐをハンドルフィルタカートリッジ６０に接続する。シャワーヘッドがフック留めされると、水道水がハンドルフィルタカートリッジ６０、ハンドル突合せ部１０４における水進入口１０５および水入り口通路１１１を順次経由してインペラウェル１０８に進入し、インペラ８０を回転させる。その後、インペラウェル１０８内の水道水が、水出口通路１１２および水出口孔ベース１０９を順次経由して、内蓋７０における水出口７３から流出する。最終的に、（図１８および図１９に示されるように）水道水は、フード９０における水噴霧穴９２から外に噴射される。流水によって駆動されるインペラ８０の各回転に対して、その磁気要素８２が同時に、警告ポッド２００における磁気リードスイッチ３０４のスイッチを一度入れて切り替え信号を誘導し、この信号は、信号回路装置３００におけるマイクロプロセッサ３０１に中継され、あらかじめ設定されたある間隔で蓄積データを生成するように処理され、さらにＬＣＤディスプレイ回路３０２に送信されて、このディスプレイ回路が以下の式に従ってＬＣＤディスプレイ回路３０２上に関連する水流の量を表示する。
水流の量（Ｑ）＝断面積（Ａ）×流速（Ｖ）
【００１４】
ＬＣＤディスプレイ回路３０２に示される前述の水流の量（Ｑ）は、ハンドルフィルタカートリッジ６０を通って流れた蓄積量であり、この蓄積量は、ハンドルフィルタカートリッジ６０の全体の耐用寿命が尽きるまでの間に使用された水流の総量に関連している。さらに前述の水流の量（Ｑ）は、マイクロプロセッサ３０１においてあらかじめ記憶されている。それによって、シャワーヘッドの使用者は、警告ポッド２００の透明蓋２０１を介してＬＣＤディスプレイ回路３０２を単に見ることによって、ハンドルフィルタカートリッジ６０を通して流れた全フィルタ処理済み水量のリアルタイムの統計データを入手できる。ハンドルフィルタカートリッジ６０を通して流れた全フィルタ処理済み水量が特定のハンドルフィルタカートリッジ６０の定格耐用寿命期間の所定の臨界値に到達する（またはほぼ到達する）と、マイクロプロセッサ３０１は、ＬＣＤディスプレイ回路３０２に全フィルタ処理済み水量の現在のデータと共に警告信号を送信して、ハンドルフィルタカートリッジ６０を取り替える時であることを使用者に気付かせることで、ハンドルフィルタカートリッジ６０の良質、ひいては水がフィルタ処理されることを徹底するようにする。従って、使用者は、取り替え時を逃し、かつ、効果の無いハンドルフィルタカートリッジ６０を使用し続けた結果として生じる汚れた水によって引き起こされる健康に害を与えるような結果を回避することができる。
【００１５】
ハンドルフィルタカートリッジ６０の取り替えまたは充電については、図２０〜図２５をさらに参照されたい。図２０〜図２５に示されるフィルタの取り替えを事前に警告する装置を有する手持ち式シャワーヘッドは、電池充電台４００をさらに含む。この電池充電台４００は、一組のアクティブ充電電極４０２を有する電池充電空洞４０１を含むことで、警告ポッド２００の装着用空洞２０２におけるパッシブ充電電極２０５の対応する組の突出端部に確実に接触して、警告ポッド２００における充電式電池３０３に対する充電動作を行なう。（図２４および図２５に示されるように）電池充電空洞４０１の外形は、警告ポッド２００における装着用空洞２０２の外形に似せているが、これよりわずかに大きくなるように配置されて、装着用空洞２０２を適当に中に収容し、警告ポッドにおける充電式電池に対する充電動作を行なう。
【００１６】
警告ポッド２００における充電式電池３０３の電力は、ハンドルフィルタカートリッジ６０を数回取り替えると、なくなる場合がある。その場合、ハンドルフィルタカートリッジ６０を取り替えるまたは充電するために、まず、警告ポッド２００における透明蓋２０１の周縁部を、（図２０に示されるように）シャワーヘッド外殻１００の裏側１０２における指案内溝１１６に沿って１本の指を引っかけ、次いで、（図２１に示されるように）上方への力Ｆ２を装着用空洞２０２に加えると、（図２１の右上側の拡大図に示されるように）警告ポッド２００のスナップ式ラッチ係合切欠き２０４によって、シャワーヘッド外殻１００のくぼみソケット１１３におけるスナップ式ラッチ係合突起部１１５が解除されることによって、持ち上げる。次に、（図２２および図２３に示されるように）装着用空洞２０２に引き続き上方への力Ｆ２を加え、警告ポッド２００全体をシャワーヘッド外殻１００の裏側１０２におけるくぼみソケット１１３から完全に取り外すようにする。最後に、（図２４および図２５に示されるように）着脱式の警告ポッド２００を電池充電台４００の電池充電空洞４０１に挿入し、その時に、警告ポッド２００における充電式電池３０３が適正に充電されるようにする。
【００１７】
先行技術である、フィルタの取り替えを事前に警告する装置を有する手持ち式シャワーヘッドは、実際的に何度も試験された後に予想される効果を実現する。しかしながら、後述されるように、不均一に上部が重くなる重量配分、経時疲労の加速、および、不要な無駄な購買などのいくつかの問題点がある。
【００１８】
１．不均一に上部が重くなる重量配分
図１、図７、図１７および図１８を参照されたい。それらの図に示される、先行技術である、フィルタの取り替えを事前に警告する装置を有する手持ち式シャワーヘッドでは、関連部品と共に、充電式電池３０３および磁気リードスイッチ３０４といったいくつかの構成要素は、シャワーヘッド外殻１００の警告ポッド２００に挿入され、関連部品と共にインペラ８０および内蓋７０といったいくつかの構成要素はシャワーヘッド外殻１００のインペラウェル１０８に挿入され、それによって、大きくて扱いにくいシャワーヘッド外殻１００は、底部におけるハンドルフィルタカートリッジ６０の細長いハンドルよりも上部が重くなる。他方では、従来の市販の、フィルタは内蔵されているが事前警告のない装置を有する手持ち式シャワーヘッドでは、大きくて扱いにくいシャワーヘッド外殻１００が底部におけるハンドルフィルタカートリッジ６０の細長いハンドルよりも上部が重いといった欠点はない。従って、事前に警告する装置を有するシャワーヘッドセットは、老若男女の使用者にとって、シャワーヘッドセットを使用する時に自身の腕に痛みが生じるといった重い負担となる可能性がある。さらに、上部が重いシャワーヘッドセットは、不均一な重量配分によってシャワー中に容易に床に落下する可能性がある。それ故に、シャワーヘッドセットにおける構成要素は、耐用寿命が短くなる場合があるだけでなく、水量測定および事前警告機能に関して早期に動作不良となる可能性がある。
【００１９】
２．経時疲労の加速
図２２〜図２５を参照されたい。先行技術である、フィルタの取り替えを事前に警告する装置を有する手持ち式シャワーヘッドにおける充電式電池３０３の充電を行うために、警告ポッド２００を、シャワーヘッド外殻１００の円形合体ソケット１１３から取り去り、かつ、シャワーヘッド外殻１００の円形くぼみソケット１１３に再挿入しなければならない。このような充電動作を頻繁に繰り返すことによって、シャワーヘッド外殻１００の円形くぼみソケット１１３におけるスナップ式ラッチ係合突起部１１５への損傷が、経時疲労によって早まることになる。それ故に、シャワーヘッド外殻１００の円形くぼみソケット１１３の耐用寿命は短くなることにはならないが、使用者は、一体化しているシャワーヘッド外殻１００を時期尚早に取り替えざるを得なくなる。
【００２０】
３．不要な無駄な購買
図８および図２４を参照されたい。使用者が、先行技術である、フィルタの取り替えを事前に警告する装置を有する手持ち式シャワーヘッドにおける充電式電池３０３の充電を望む場合、充電式電池３０３を、シャワーヘッド外殻１００の警告ポッド２００から取り去り、かつ、電池充電台４００の電池充電空洞４０１に再挿入し、それによって、アクティブ充電電極４０２が装着用空洞２０２のパッシブ充電電極２０５に電気的に接続できるようにしなければならない。その結果、アクティブ充電電極４０２およびパッシブ充電電極２０５の両方共が、環境湿度に曝されるため必然的にさびることになり、それによって、早かれ遅かれ、アクティブ充電電極４０２とパッシブ充電電極２０５との間の電気接続の不良が生じることになる。アクティブ充電電極４０２とパッシブ充電電極２０５との間の電気接続の不良によって、耐用寿命が短くなるだけでなく、使用者は一体化しているシャワーヘッド外殻１００を時期尚早に取り替えざるを得なくなる。
【００２１】
前記の上述された欠点の全ては、先行技術である、フィルタの取り替えを事前に警告する装置を有する手持ち式シャワーヘッドの販売促進に弊害をもたらすが、これは、それら欠点が、使用者がフィルタカートリッジを頻繁に取り替えなければならないといった追加費用を生じさせるだけでなく、そもそも、使用者のその製品を使用し続けようという気持ちを低下させるからである。それらの問題点の対処において、本発明の発明者は、新しい考案品を鋭意研究および開発して前述の問題点を克服し、本発明をもたらすことになった。
【先行技術文献】
【特許文献】
【００２２】
【特許文献１】米国特許第７，４６８，１２７号明細書
【特許文献２】台湾特許出願第１０１１２９１２９号明細書
【特許文献３】中国特許出願第２０１２１０４２５５７２．５号明細書
【特許文献４】米国特許出願第１３／７２９，０６３号明細書
【特許文献５】米国特許出願公開第２０１４／００４２２４０号明細書
【特許文献６】英国特許出願第１３０８７３４．１１３０８７３４．１号明細書
【特許文献７】独国特許出願第１０２０１３１０８３７１．４号明細書
【特許文献８】特公昭５５９４６１５号公報
【特許文献９】韓国特許第１０−１４７１７５９号明細書
【特許文献１０】台湾特許第２０１４０６３３７号明細書
【発明の概要】
【発明が解決しようとする課題】
【００２３】
本発明の好ましい実施形態によると、測定およびフィルタ処理コアハンドルの取り替えの示唆が可能な手持ち式シャワーヘッドにおける不均等な重量配分の問題は、一体化している下外殻、上外殻、および、ハンドルフィルタカートリッジを収めるハンドル、埋め込み式ボタン形電池と共に一体化している電池台および電池蓋、信号回路装置、透明カバー、噴霧フード、ならびに、軸流モードのインペラ軸、誘導磁石、および、軸流モードの支持物を収める水流測定ユニットを有するシャワーヘッドを提供することによって対処される。水流測定ユニットおよびインペラ軸は、シャワーヘッド下外殻の下ハンドルフィルタカートリッジ装着セクションに配設され、電池台およびボタン形電池は、シャワーヘッド上外殻の上ハンドルフィルタカートリッジ装着セクションに配設され、下ハンドルフィルタカートリッジ装着セクションおよび上ハンドルフィルタカートリッジ装着セクションは両方とも、ハンドルフィルタカートリッジに隣接することで、シャワーヘッドの全体の重量配分が、先行技術である、フィルタの取り替えを事前に警告する装置を有する手持ち式シャワーヘッドのものより均一になるようにする。その結果、先行技術である、フィルタの取り替えを事前に警告する装置を有する手持ち式シャワーヘッドにおける、不均一に上部が重くなる重量配分、および、結果としてこうむる弊害の問題点は全て解消される。
【課題を解決するための手段】
【００２４】
煩わしい電池取り替えの問題も、コインを電池蓋の回転可能な切欠きに単に挿入することによって、電池蓋を、ボタン形電池の取り替え中に電池台から取り去って、電池蓋を回して、ボタン形電池と共に一体化している電池蓋をシャワーヘッド上外殻の電池台から取り出し、使用済み電池と新しいボタン形電池との取り替え時の逆のステップを後に行えるようにする、本発明の好ましい実施形態において解決される。その結果、シャワーヘッド外殻の背面における溝ベースからの警告ポッドの取り外しと、シャワーヘッド外殻の背面における溝ベースへの警告ポッドの再挿入とを繰り返すことによって生じる、先行技術における充電手順中にこうむる欠点のいくつかを解消することができる。
【図面の簡単な説明】
【００２５】
【図１】従来の、フィルタの取り替えを事前に警告する組立体を有する手持ち式シャワーヘッドの分解断面図である。
【図２】先の図１の切断線２−２による断面図である。
【図３】先の図２の切断線３−３による断面図である。
【図４】先の図１の切断線４−４による断面図である。
【図５】先の図１の切断線５−５による断面図である。
【図６】先の図１の切断線６−６による断面図である。
【図７】従来の、フィルタの取り替えを事前に警告する組立体を有する手持ち式シャワーヘッドの分解斜視図である。
【図８】先の図１の切断線８−８による断面図である。
【図９】従来の、フィルタの取り替えを事前に警告する組立体を有する手持ち式シャワーヘッドの第１の組み立てを示す図である。
【図１０】従来の、フィルタの取り替えを事前に警告する組立体を有する手持ち式シャワーヘッドの第２の組み立てを示す図である。
【図１１】従来の、フィルタの取り替えを事前に警告する組立体を有する手持ち式シャワーヘッドの第３の組み立てを示す図である。
【図１２】従来の、フィルタの取り替えを事前に警告する組立体を有する手持ち式シャワーヘッドの第４の組み立てを示す図である。
【図１３】従来の、フィルタの取り替えを事前に警告する組立体を有する手持ち式シャワーヘッドにおいてシャワーヘッド外殻との警告ポッドの第１の連結を示す図である。
【図１４】従来の、フィルタの取り替えを事前に警告する組立体を有する手持ち式シャワーヘッドにおいてシャワーヘッド外殻との警告ポッドの第２の連結を示す図である。
【図１５】従来の、フィルタの取り替えを事前に警告する組立体を有する手持ち式シャワーヘッドにおいてシャワーヘッド外殻との警告ポッドの第３の連結を示す図である。
【図１６】従来の、フィルタの取り替えを事前に警告する組立体を有する手持ち式シャワーヘッドにおいてシャワーヘッド外殻との警告ポッドの第４の連結を示す図である。
【図１７】本発明の好ましい実施形態による、測定およびフィルタの取り替えの示唆が可能な手持ち式シャワーヘッドへのハンドルフィルタカートリッジの組み立てを示す斜視図である。
【図１８】先の図１７の切断線１８−１８による断面図である。
【図１９】先の図１８の切断線１９−１９による断面図である。
【図２０】従来の、フィルタの取り替えを事前に警告する装置を有する手持ち式シャワーヘッドにおいてシャワーヘッド外殻から警告ポッドの透明蓋を持ち上げることを示す第１の実例となる図である。
【図２１】従来の、フィルタの取り替えを事前に警告する装置を有する手持ち式シャワーヘッドにおいてシャワーヘッド外殻から警告ポッドの透明蓋を持ち上げることを示す第２の実例となる図である。
【図２２】従来の、フィルタの取り替えを事前に警告する装置を有する手持ち式シャワーヘッドにおいてシャワーヘッド外殻から警告ポッドの透明蓋を持ち上げることを示す第３の実例となる図である。
【図２３】従来の、フィルタの取り替えを事前に警告する装置を有する手持ち式シャワーヘッドにおいてシャワーヘッド外殻から警告ポッドの透明蓋を持ち上げることを示す第４の実例となる図である。
【図２４】従来の、フィルタの取り替えを事前に警告する装置を有する手持ち式シャワーヘッドにおいてシャワーヘッド外殻の電池充電台から警告ポッドを取り外すことを示す概略的斜視図である。
【図２５】従来の、フィルタの取り替えを事前に警告する装置を有する手持ち式シャワーヘッドにおいてシャワーヘッド外殻の電池充電台に警告ポッドを挿入することを示す概略的斜視図である。
【図２６】本発明の第１の例示の実施形態のシャワーヘッドの分解斜視図である。
【図２７】先の図２６の切断線２７−２７による断面図である。
【図２８】先の図２６の切断線２８−２８による断面図である。
【図２９】先の図２６の切断線２９−２９による断面図である。
【図３０】本発明の第１の例示の実施形態における電池蓋の側面図である。
【図３１】先の図２６の切断線３１−３１による断面図である。
【図３２】本発明の第１の例示の実施形態における水流測定ユニットの斜視図である。
【図３３】先の図３２の切断線３３−３３による断面図である。
【図３４】先の図３２の切断線３４−３４による断面図である。
【図３５】本発明の第１の例示の実施形態における軸流モードのインペラ軸の斜視図である。
【図３６】先の図３５の切断線３６−３６による断面図である。
【図３７】本発明の第１の例示の実施形態における誘導磁石の斜視図である。
【図３８】先の図３７の切断線３８−３８による断面図である。
【図３９】本発明の第１の例示の実施形態における軸流モードの支持物の斜視図である。
【図３９ａ】本発明の第１の例示の実施形態における軸流モードの支持物の側面図である。
【図４０】先の図３９の切断線４０−４０による断面図である。
【図４１】本発明の第１の例示の実施形態の組み立てを示す第１の概略図である。
【図４２】本発明の第１の例示の実施形態の組み立てを示す第２の概略図である。
【図４３】本発明の第１の例示の実施形態の組み立てを示す第３の概略図である。
【図４４】本発明の第１の例示の実施形態の組み立てを示す第４の概略図である。
【図４５】本発明の第１の例示の実施形態の組み立てを示す第５の概略図である。
【図４６】本発明の第１の例示の実施形態の組み立てを示す第６の概略図である。
【図４７】本発明の第１の例示の実施形態の組み立てを示す第７の概略図である。
【図４８】本発明の第１の例示の実施形態の組み立てを示す第８の概略図である。
【図４９】本発明の第１の例示の実施形態の組み立てを示す第９の概略図である。
【図５０】本発明の第１の例示の実施形態の組み立てを示す第１０の概略図である。
【図５１】本発明の第１の例示の実施形態における電池台への電池蓋の挿入、または、電池台からの電池蓋の取り外しを示す第１の実例となる図である。
【図５２】本発明の第１の例示の実施形態における電池台への電池蓋の挿入、または、電池台からの電池蓋の取り外しを示す第２の実例となる図である。
【図５３】本発明の第１の例示の実施形態におけるシャワーヘッド下外殻への噴霧フードの組み立てを示す第１の実例となる図である。
【図５４】本発明の第１の例示の実施形態におけるシャワーヘッド下外殻への噴霧フードの組み立てを示す第２の実例となる図である。
【図５５】本発明の第１の例示の実施形態におけるシャワーヘッドへのハンドルフィルタカートリッジの組み立てを示す概略的斜視図である。
【図５６】先の図５５の切断線５６−５６による断面図である。
【図５７】先の図５６の切断線５７−５７による断面図である。
【図５８】先の図５７の切断線５８−５８による断面図である。
【図５９】本発明の第２の例示の実施形態による、上外殻および下外殻を接合するための一体型ラッチ機構を有する、改造されたシャワーヘッド下外殻および改造されたシャワーヘッド上外殻の分解斜視図である。
【図６０】先の図５９の切断線６０−６０による断面図である。
【図６１】先の図５９の切断線６１−６１による断面図である。
【図６２】本発明の第２の例示の実施形態における改造されたシャワーヘッド下外殻および改造されたシャワーヘッド上外殻の組み立てを示す第１の実例となる図である。
【図６３】本発明の第２の例示の実施形態における改造されたシャワーヘッド下外殻および改造されたシャワーヘッド上外殻の組み立てを示す第２の実例となる図である。
【図６４】本発明の第３の例示の実施形態による改造されたシャワーヘッド下外殻の断面図である。
【図６５】本発明の第３の例示の実施形態における改造されたシャワーヘッド上外殻の断面図である。
【図６６】本発明の第３の例示の実施形態における改造されたシャワーヘッド下外殻および改造されたシャワーヘッド上外殻の第１の組み立ての実例となる図である。
【図６７】本発明の第３の例示の実施形態における改造されたシャワーヘッド下外殻および改造されたシャワーヘッド上外殻の組み立てを示す第２の実例となる図である。
【図６８】本発明の第３の例示の実施形態における、改造されかつ共に接合されたシャワーヘッド下外殻およびシャワーヘッド上外殻とのハンドルフィルタカートリッジの組み立てを示す断面図である。
【発明を実施するための形態】
【００２６】
図２６〜図４０、および、図４９を参照されたい。本発明の第１の例示の実施形態の測定およびフィルタ処理コアハンドルの取り替えの示唆が可能な手持ち式シャワーヘッドは、（図２６に示されるように）一体型のシャワーヘッド下外殻１０、上外殻２０、および、ハンドルフィルタカートリッジ６０を収めるハンドル、埋め込み式ボタン形電池Ｂと共に一体型の電池台２６および電池蓋３０、信号回路装置３００、透明カバー４０、噴霧フード９０、ならびに、軸流モードのインペラ軸５００、誘導磁石６００、および、軸流モードの支持物７００を収める水流測定ユニット５０を含む。
【００２７】
単片に押し出し成形されたプラスチック製中空ケースであるシャワーヘッド下外殻１０は、一体となる前側１１および裏側１２を有する受け台１３を含んで、受け台１３には、遠位接合円筒１４１をその外周上の一連の雄ねじ山と共に含み、かつ、ハンドルフィルタカートリッジ６０に確実に接合するためにシャワーヘッドのハンドルの方へ延在する下適応セクション１４が延在するようにする。前側１１は、下適応セクション１４の方へ管状アダプタ１６の遠位端を通って延在する水入口通路１５１と共に内側内方へ延在する水入口溝１５と、対応する噴霧フード９０とはめ合わせるために前側１１の外周上に形成される一連の縁雄ねじ山１７とを有する。裏側１２は、内側雌ねじ山を有する２つの凸状円筒１２１を有し、円筒１２１は受け台１３の頂面から外方に延在する。
【００２８】
シャワーヘッド下外殻１０の背面１２を適切に覆うために単片に押し出し成形されたプラスチック製ケースであるシャワーヘッド上外殻２０は、前側２１および裏側２２を有し、一体として形成される受け台２３を含む。この場合、受け台２３は、シャワーヘッドのハンドルの方へ延在する、上ハンドルフィルタカートリッジ装着セクション２４を有し、受け台２３および延在する上ハンドルフィルタカートリッジ装着セクション２４の外形およびサイズが、シャワーヘッド下外殻１０の対応する受け台１３および下ハンドルフィルタカートリッジ装着セクション１４の外形およびサイズと同じであるようにする。前側２１の頂面上に、覗き窓２５がその裏面にわたって作り出され、上ハンドルフィルタカートリッジ装着セクション２４の近くに、電池台２６が、内側垂直壁における２つの内側突起部２６１、および、内底部における内側電池端子２６２と共に作り出される。
【００２９】
シャワーヘッド上外殻２０の電池台２６に埋め込まれる電池蓋３０は、その頂面上に作り出される蓋回転用切欠き３１と、（図４９および図５０に示されるように）市販されているボタン形電池Ｂを保持するために電池蓋３０の底部セクションに作り出される電池用空洞３２と、シャワーヘッド上外殻２０における電池台２６の対応する２つの内側突起部２６１に確実にラッチ係合するために電池蓋３０の側壁に作り出される２つのスナップ状切欠き３３とを含む。
【００３０】
シャワーヘッド上外殻２０の前側２１における覗き窓２５によって覆い包まれるように単片に押し出し成形された透明カバーである、透明カバー４０は、信号回路３００のマイクロプロセッサ３０１およびＬＣＤディスプレイ回路３０２を収めるために、カバー４０の底部側に内方に延在する保持空洞４１と、ねじＳによってシャワーヘッド下外殻１０の背面１２における内側雌ねじ山１２１を有する対応する凸状円筒の組とはめ合わせるために、カバー４０の反対側から延在する一組の穿孔保持出っ張り４２とを含む。
【００３１】
２セクションで構成される積層体である水流測定ユニット５０は、上中空支柱５２の上セクションと、ベース中空支柱５１の下セクションと、ベース中空支柱５１および上中空支柱５２の両方を通る水通路５３とを含む。（図３２および図４４に示されるように）ベース中空支柱５１はその周囲にはめ込まれたシーリングリング５１１を有し、上中空支柱５２には、磁気リードスイッチ３０４を収容するために管状開口部５５１を有する中空柱５５が側面に位置する。この場合、ベース中空支柱５１の外径は、シャワーヘッド下外殻１０における延在する下ハンドルフィルタカートリッジ装着セクション１４の遠位接合円筒１４１の内径よりわずかに小さく、それによって、水流測定ユニット５０をシャワーヘッド下外殻１０における遠位接合円筒１４１に完全に挿入させることができる。（図３２〜図３４に示されるように）水通路５３は、その上部分において、インペラの下流側に径方向に配設される複数の遮断羽根５４を含むことで、内方の遮断羽根５４全てによって形成されるブシュが、上バフル５４１および下合体切欠き５４２で構成される中央懸垂体を取り巻くようにする。
【００３２】
単片に押し出し成形されたプラスチック製円板である噴霧フード９０は、その底部縁の周りに延在する雌ねじ山９１と、噴霧フード９０の表面上に分布する複数の水噴霧穴９２とを有して、雌ねじ山９１を、螺合係合によってシャワーヘッド下外殻１０の前側１１における縁雄ねじ山１７とはめ合わせることができるようにし、水噴霧穴９２によってシャワーヘッド外殻１０の前側１１の水入口溝１５内の水を外に噴射することができるようにする。
【００３３】
（図３５および図３６に示されるように）水流測定ユニット５０における水通路５３に挿入されるインペラ軸５００は、底部中央ブシュ５０１、上軸方向合体突起部５０２、複数の周方向らせん状羽根５０３、および、らせん状羽根５０３の底端部によって包囲される底部円形ギャップ付き収容部５０４を含む。
【００３４】
インペラ軸５００の底部円形ギャップ付き収容部５０４に置かれる円筒状磁石の切頭セクションである誘導磁石６００は、誘導磁石６００を通る（図３７および図３８に示されるように）中央ブシュ６０１を含む。（図４２〜図４４に示されるように）中央ブシュ６０１の直径は、インペラ軸５００における中央ブシュ５０１の直径と同じであり、かつ、位置合わせされる。
【００３５】
誘導磁石９１０を介してインペラ軸９００に連結される支持物７００は、円筒状台７０１、金属製支持軸７０２、３つの径方向リブを有する支持三脚７０３、および、水通路の上流端に位置する支持ベース７０４を含む。（図３９ａに示されるように）支持ベース７０４は、支持三脚７０３の径方向リブ下に構成され、それによって、（図３９および図４０に示されるように）金属製支持軸７０２は、支持三脚７０３の、内方の径方向リブ全てによって形成されるブシュにおいて中央に直立する。
【００３６】
（図２６および図３４に示されるように）透明カバー４０下の保持空洞４１に収容される信号回路装置３００は、マイクロプロセッサ３０１、ＬＣＤディスプレイ回路３０２、および、水流測定ユニット５０のために側面に位置付けられた中空柱５５の管状凹部５５１に埋め込まれる磁気リードスイッチ３０４を含む。この場合、マイクロプロセッサ３０１は、（図４９に示されるように）シャワーヘッド上外殻２０の電池台２６における電池端子２６２に、および、電線Ｌを介して水流測定ユニット５０上の中空柱５５の管状経路５５１における磁気リードスイッチ３０４にそれぞれ接続される。電池蓋３０下の電池用空洞３２に埋め込まれるボタン形電池Ｂは、信号回路装置３００の関連の電力消費する構成要素に電力を供給し、ニッケル−クロム電池、ニッケル電池またはリチウム電池のいずれかであってよく、磁気リードスイッチ３０４はホール効果構成要素と取り替え可能である。
【００３７】
図４１〜図５２を参照されたい。本発明の第１の例示の実施形態の組み立て手順は、以下のように段階的に行われる。
【００３８】
ａ．最初に、誘導磁石６００は（図４１に示されるように）インペラ軸５００の円形ギャップ付き収容部５０４に置かれ、それによって、中央ブシュ６０１の直径はインペラ軸５００における中央ブシュ５０１の直径と位置合わせされる。次いで、（図４２に示されるように）金属製支持軸７０２は、誘導磁石６００の中央ブシュ６０１、および、インペラ軸５００の中央ブシュ５０１それぞれを通って順次挿入される。
【００３９】
ｂ．次に、インペラ軸５００は、（図４３に示されるように）その軸方向合体突起部５０２を水通路５３の出入口の方へ向かせてから、軸方向合体突起部５０２が遮断羽根５４の合体切欠き５４２に触れることによって、水流測定ユニット５０の水通路５３に挿入され、次いで、磁気リードスイッチ３０４は、（図４４に示されるように）水流測定ユニット５０の中空柱５５における管状凹部５５１内に置かれる。
【００４０】
ｃ．第３に、上中空支柱５２は前方に面するように向けられ、先のステップｂからの一体化している水流測定ユニット５０は、シャワーヘッド下外殻１０の下ハンドルフィルタカートリッジ装着セクション１４における外側雄ねじ山１４１を有する遠位接合円筒内に置かれ、それによって、上中空支柱５２の前開口部がシャワーヘッド下外殻１０の管状アダプタ１６を覆い包むようにする。一方では、（図４５および図４６に示されるように）ベース中空支柱５１のシーリングリング５１１は、外側雄ねじ山１４１を有する遠位接合円筒の内壁に密閉するように接触させて、水漏れを防止することが可能とされる。
【００４１】
ｄ．第４に、（図４６に示されるように）磁気リードスイッチ３０４は、電線Ｌを介して信号回路装置３００のマイクロプロセッサ３０１に接続され、信号回路装置３００のＬＣＤディスプレイ回路３０２およびマイクロプロセッサ３０１は、透明カバー４０の保持空洞４１に埋め込まれ、その後、（図４７に示されるように）透明カバー４０の２つの出っ張り４２は、ねじＳによってシャワーヘッド下外殻１０の背面１２における内側雌ねじ山１２１を有する対応する凸状円筒に接合される。
【００４２】
ｅ．第５に、信号回路装置３００のマイクロプロセッサ３０１は、電線Ｌを介してシャワーヘッド上外殻２０の電池台２６における電池端子２６２に接続され、次いで、シャワーヘッド上外殻２０は、シャワーヘッド上外殻２０の覗き窓２５をシャワーヘッド下外殻１０の背面１２と位置合わせさせかつ接触させた後、高周波溶融方法によってシャワーヘッド下外殻１０と溶融される。
【００４３】
ｆ．最後に、（図４７〜図５２に示されるように）電池蓋３０の２つのスナップ状切欠き３３は、ボタン形電池Ｂを電池蓋３０に挿入後、シャワーヘッド上外殻２０の電池台２６における対応する２つの突起部２６１にしっかりと位置合わせされかつラッチ係合される。一方で、ボタン形電池Ｂは、シャワーヘッド上外殻２０の電池台２６における電池端子２６２と接触し、それによって、ボタン形電池Ｂからの電力を、信号回路装置３００の、マイクロプロセッサ３０１、ＬＣＤディスプレイ回路３０２および磁気リードスイッチ３０４に適切に供給して、本発明の第１の実施形態の組み立てを完了することができる。
【００４４】
水流の量（Ｑ）に基づいて、ハンドルフィルタカートリッジ６０を流れる全フィルタ処理済み水量は、ＬＣＤディスプレイ回路３０２上で測定されかつ表示され、その結果は、マイクロプロセッサ３０１によって記憶される。その結果を処理して、手持ち式シャワーヘッドの残りの耐用寿命期間を予測することができる。それによって、シャワーヘッドの使用者は、シャワーヘッド上外殻２０における覗き窓２５の透明カバー４０を介してＬＣＤディスプレイ回路３０２を単に見ることによって、ハンドルフィルタカートリッジ６０を流れた全フィルタ処理済み水量のリアルタイムの統計データを入手できる。ハンドルフィルタカートリッジ６０を流れた全フィルタ処理済み水量が特定のハンドルフィルタカートリッジ６０の定格耐用寿命期間の所定の臨界値に到達する（またはほぼ到達する）と、マイクロプロセッサ３０１は、ＬＣＤディスプレイ回路３０２に全フィルタ処理済み水量の現在のデータと共に警告信号を送信して、ハンドルフィルタカートリッジ６０を取り替える時であることを使用者に気付かせることで、ハンドルフィルタカートリッジ６０の良質、ひいては水がフィルタ処理されることを徹底するようにする。従って、使用者は、取り替え時を逃し、かつ、効果の無いハンドルフィルタカートリッジ６０を使用し続けた場合にもたらされるであろう汚れたシャワー水Ｗによって引き起こされる健康に害を与えるような結果を回避することができる。
【００４５】
図５３〜図５８を参照されたい。本発明の第１の例示の実施形態の動作は以下の通りである。本発明の動作の前に、噴霧フード９０はまず、（図５３および図５４に示されるように）シャワーヘッド下外殻１０上の縁雄ねじ山１７に螺合され、次いで、ハンドルフィルタカートリッジ６０は、シャワーヘッド下外殻１０の下ハンドルフィルタカートリッジ装着セクション１４上の外側雄ねじ山１４１を有する遠位接合円筒に螺合されて、シャワーヘッドを使用する準備をする。着脱式水管Ｐからのシャワー水Ｗが、シャワーヘッドのハンドルフィルタカートリッジ６０を流れると、軸流モードの支持物７００における円筒状台７０１の支持三脚７０３を通過して、（図５８に示されるように）軸流モードのインペラ軸５００のらせん状羽根５０３を回転させ、最終的に、シャワー水Ｗは、（図５６および図５７に示されるように）入浴シャワーをもたらすように、シャワーヘッド下外殻１０の水入口通路１５１を介して水入口溝１５に流入後、シャワーヘッド下外殻１０の前側１１の噴霧フード９０の噴霧穴９２から外に噴射することになる。前述の入浴シャワー動作中、シャワー水Ｗが流れることによって駆動されるらせん状羽根５０３およびインペラ軸５００の各回転に対して、インペラ軸５００の円形ギャップ付き収容部５０４における誘導磁石６００は同時に、（図５８に示されるように）水流測定ユニット５０の中空柱５５における磁気リードスイッチ３０４にスイッチング信号を誘導させ、この信号は、電線Ｌを介して信号回路装置３００におけるマイクロプロセッサ３０１に中継され、あらかじめ設定されたある間隔でデータを生成しかつ蓄積するように処理されて、さらにＬＣＤディスプレイ回路３０２に送信されることで、以下の式に従って、関連する水流の量を表示するようにする。
水流の量（Ｑ）＝断面積（Ａ）×流速（Ｖ）
【００４６】
ボタン形電池Ｂの取り替えについては、図４９、図５１および図５２をさらに参照されたい。電池蓋３０下のボタン形電池Ｂの電力は、ハンドルフィルタカートリッジ６０を数回取り替えた後、なくなる場合がある。ボタン形電池Ｂの電力がなくなると、コインを電池蓋３０の回転可能な切欠き３１に単に挿入することによって、電池蓋３０を、電池台２６から取り去って、（図５１に示されるように）電池蓋３０を回して、電池蓋３０の２つのスナップ状切欠き３３をシャワーヘッド上外殻２０における電池台２６の２つの突起部２６１から取り外して、（図４９に示されるように）ボタン形電池Ｂと共に一体化している電池蓋３０をシャワーヘッド上外殻２０の電池台２６から取り出すことができるようにする。次いで、新しいボタン形電池Ｂを、電池蓋３０下の消耗したボタン形電池Ｂと置き換えることができ、先のステップを逆に行うことで、新しいボタン形電池Ｂは、信号回路装置３００の磁気リードスイッチ３０４およびＬＣＤディスプレイ回路３０２、ならびに、マイクロプロセッサ３０１に電力を供給することになる。従って、シャワーヘッド外殻１００の背面１０２における溝ベース１１３から警告ポッド２０を取り外すこと、および、シャワーヘッド外殻１００の背面１２における溝ベース１１３へ警告ポッド２０を再挿入することといった、先行技術である、フィルタの取り替えを事前に警告する装置を有する手持ち式シャワーヘッドの冗長的な充電手順によってこうむるいくつかの欠点を、本発明の第１の例示の実施形態によって解消することができる。
【００４７】
水流測定ユニット５０およびインペラ軸５００は、シャワーヘッド下外殻１０の下ハンドルフィルタカートリッジ装着セクション１４に配設され、電池台２６およびボタン形電池Ｂは、シャワーヘッド上外殻２０の上ハンドルフィルタカートリッジ装着セクション２４に配設される。この場合、ハンドルの下ハンドルフィルタカートリッジ装着セクション１４、および、ハンドルの上ハンドルフィルタカートリッジ装着セクション２４は両方とも、ハンドルフィルタカートリッジ６０に隣接することで、シャワーヘッドの全体の重量配分が、先行技術である、フィルタの取り替えを事前に警告する装置を有する手持ち式シャワーヘッドのものより均一になるようにする。その結果、先行技術である、フィルタの取り替えを事前に警告する装置を有する手持ち式シャワーヘッドにおける、不均一に上部が重くなる重量配分、および、結果としてこうむる弊害の問題は全て解消される。
【００４８】
図５９〜図６３を参照されたい。これらの図は、本発明の第２の例示の実施形態に従って、一体型ラッチ機構によって接合される、改造されたシャワーヘッド下外殻および改造されたシャワーヘッド上外殻を示す。複数の上方に弾性的に延在するフック式ラッチ係合腕部１９が、（図５９および図６１に示されるように）改造されたシャワーヘッド下外殻１０の受け台１３にさらに配設され、複数の対応するラッチ係合切欠き２７も（図６０に示されるように）改造されたシャワーヘッド上外殻２０の受け台２３にさらに配設され、それによって、改造されたシャワーヘッド下外殻１０および改造されたシャワーヘッド上外殻２０の両方を、本発明の第１の例示の実施形態に採用された高周波溶融方法の代わりに、上方に延在する弾性的なラッチ係合腕部１９および対応するラッチ係合切欠き２７のラッチ係合手段によって、共に確実に接合することができる。
【００４９】
図６４〜図６８を参照されたい。これらの図は、本発明の第３の例示の実施形態による、改造されたシャワーヘッド下外殻および改造されたシャワーヘッド上外殻を示す。図６４は、本発明の第３の例示の実施形態の改造されたシャワーヘッド下外殻１０ａを示し、図６５は、本発明の第３の例示の実施形態の改造されたシャワーヘッド上外殻２０ａを示す。
【００５０】
単片に押し出し成形されたプラスチック製中空ケースである改造されたシャワーヘッド下外殻１０ａは、前側１１ａおよび裏側１２ａを有し、一体として形成される受け台１３ａを含んで、受け台１３ａが、下外殻１０ａの遠位端からシャワーヘッドのハンドルの方へ延在する一連の雄ねじ山と共に外側にねじ切りされた装着円筒１４１ａを含んで、ハンドルフィルタカートリッジ６０に確実に接合する、延在する下ハンドルフィルタカートリッジ装着セクション１４ａを有するようにする。前側１１ａは、管状アダプタ１６ａの遠位端を通って下ハンドルフィルタカートリッジ装着セクション１４ａの方へ延在する内側水入口溝１５ａおよび水入口通路１５１ａ、並びに、対応する噴霧フード９０とはめ合わせるために受け台１３ａの前側１１ａの外周上に形成される一連の雄ねじ山１７ａを有する。（図６４に示されるように）裏側１２ａは、裏側１２ａの頂面から外方に延在する、内側雌ねじ山を有する２つの凸状円筒１２１ａと、２つの突起部１８１、および、遠位に外側にねじ切りされた円筒１４１ａの近くに、下ハンドルフィルタ装着セクション１４ａ内へ内方に延在する電池端子１８２を有する電池台１８と、を有し、突起部１８１が内側垂直壁上に外方に形成され、電池端子１８２が電池台１８の内底部において外方に形成されるようにする。
【００５１】
改造されたシャワーヘッド下外殻１０ａの背面１２ａを適切に覆うために単片に押し出し成形されたプラスチック製ケースである改造されたシャワーヘッド上外殻２０ａは、（図６５に示されるように）前側２１ａおよび裏側２２ａを有し、一体として形成される受け台２３ａを含み、この場合、受け台２３ａは、シャワーヘッドのハンドルの方へ延在する、改造された上ハンドルフィルタカートリッジ装着セクション２４ａを有し、受け台２３ａおよび改造された上ハンドルフィルタカートリッジ装着セクション２４ａの外形およびサイズが、対応する受け台１３ａ、および、改造されたシャワーヘッド下外殻１０ａにおける改造された下ハンドルフィルタカートリッジ装着セクション１４ａの外形およびサイズと同じであるようにし、前側２１ａの頂面上に、覗き窓２５ａが、ハンドルの上ハンドルフィルタカートリッジ装着セクション２４ａの近くにその裏側にわたって作り出されるようにする。
【００５２】
（図６６および図６７に示されるように）電池蓋３０を関連付けられたボタン形電池Ｂと共に収容する、適応されたシャワーヘッド下外殻１０ａの下ハンドルフィルタカートリッジ装着セクション１４ａにおける電池台１８は、（図６８に示されるように）本発明の第１の例示の実施形態の電池台２６と同じ機能を有する。
【００５３】
上述された好ましい実施形態の手持ち式シャワーヘッドは、製造プロセスにおいて必要とされる金型および組み立て手順における労働時間を大いに低減し、かつ、特許文献１０および特許文献５に開示される、先行技術である、フィルタの取り替えを事前に警告する装置を有する手持ち式シャワーヘッドにおいて生じる、上部が重い不便性、経時疲労の加速、および、不要な無駄な購買という問題点を解決するといった利点を有する。
【図１】
0006292418.tif 000002
【図２】
0006292418.tif 000003
【図３】
0006292418.tif 000004
【図４】
0006292418.tif 000005
【図５】
0006292418.tif 000006
【図６】
0006292418.tif 000007
【図７】
0006292418.tif 000008
【図８】
0006292418.tif 000009
【図９】
0006292418.tif 000010
【図１０】
0006292418.tif 000011
【図１１】
0006292418.tif 000012
【図１２】
0006292418.tif 000013
【図１３】
0006292418.tif 000014
【図１４】
0006292418.tif 000015
【図１５】
0006292418.tif 000016
【図１６】
0006292418.tif 000017
【図１７】
0006292418.tif 000018
【図１８】
0006292418.tif 000019
【図１９】
0006292418.tif 000020
【図２０】
0006292418.tif 000021
【図２１】
0006292418.tif 000022
【図２２】
0006292418.tif 000023
【図２３】
0006292418.tif 000024
【図２４】
0006292418.tif 000025
【図２５】
0006292418.tif 000026
【図２６】
0006292418.tif 000027
【図２７】
0006292418.tif 000028
【図２８】
0006292418.tif 000029
【図２９】
0006292418.tif 000030
【図３０】
0006292418.tif 000031
【図３１】
0006292418.tif 000032
【図３２】
0006292418.tif 000033
【図３３】
0006292418.tif 000034
【図３４】
0006292418.tif 000035
【図３５】
0006292418.tif 000036
【図３６】
0006292418.tif 000037
【図３７】
0006292418.tif 000038
【図３８】
0006292418.tif 000039
【図３９】
0006292418.tif 000040
【図３９ａ】
0006292418.tif 000041
【図４０】
0006292418.tif 000042
【図４１】
0006292418.tif 000043
【図４２】
0006292418.tif 000044
【図４３】
0006292418.tif 000045
【図４４】
0006292418.tif 000046
【図４５】
0006292418.tif 000047
【図４６】
0006292418.tif 000048
【図４７】
0006292418.tif 000049
【図４８】
0006292418.tif 000050
【図４９】
0006292418.tif 000051
【図５０】
0006292418.tif 000052
【図５１】
0006292418.tif 000053
【図５２】
0006292418.tif 000054
【図５３】
0006292418.tif 000055
【図５４】
0006292418.tif 000056
【図５５】
0006292418.tif 000057
【図５６】
0006292418.tif 000058
【図５７】
0006292418.tif 000059
【図５８】
0006292418.tif 000060
【図５９】
0006292418.tif 000061
【図６０】
0006292418.tif 000062
【図６１】
0006292418.tif 000063
【図６２】
0006292418.tif 000064
【図６３】
0006292418.tif 000065
【図６４】
0006292418.tif 000066
【図６５】
0006292418.tif 000067
【図６６】
0006292418.tif 000068
【図６７】
0006292418.tif 000069
【図６８】
0006292418.tif 000070